(57)【特許請求の範囲】
【請求項１】
前面を開口した本体と、該本体の開口部の左右両側縁に水平回動自在に取付けた観音開き式の左右一対の扉と、前記左右両扉の開閉動を連動させる連動機構とを備えており、
前記連動機構は、一端部を中心に水平回動するように左右の扉に取付けたリンク杆と、前記左右リンク杆を連動して回動させるため本体に設けた前後長手のガイド部材とを備えており、左右リンク杆の他端を前記ガイド部材に摺動可能に取付けることにより、左右リンク杆の連動回動にて左右扉の開き動と閉まり動とを連動させている水平回動式扉付きキャビネットであって、
前記左右両扉を、両扉を閉じた状態で一方の扉の自由端の前面と他方の扉の自由端の裏面とが重なり合うように形成する一方、
前記ガイド部材には左右リンク杆の他端を案内するガイド穴が形成されており、このガイド穴を平面視で他方の扉の側に向けて凸状に湾曲させることにより、両扉の連動開閉タイミングを、両扉を開き回動する過程のうち少なくとも開き初めの段階では他方の扉が一方の扉より速く開き回動し、両扉を閉じ回動する過程のうち少なくとも閉じ終える段階で一方の扉が他方の扉よりも速く閉じ回動するように設定している、
水平回動式扉付きキャビネット。
【請求項２】
更に、前記扉を閉じ方向に付勢するための付勢手段と、所定の温度以下では前記付勢手段の付勢力が扉に作用しないように保持し所定の温度を越えると前記付勢手段の付勢力が扉に作用するように切り替わる自動閉止作動手段とを設けている、
請求項１に記載した水平回動式扉付きキャビネット。
【請求項３】
前記付勢手段を、扉の開閉動に連動して回動するよう扉と本体との間に接続したリンク機構と、該リンク機構の回動を介して扉を閉じ方向に回動付勢するようにしたねじりばねとで構成し、
該ねじりばねの一端部を本体の内面に当接すると共に、ねじりばねの他端部をリンク機構の側面に当接することにより、ねじりばねの弾性復元力によって扉がリンク機構を介して閉じ回動する方向に付勢されるように設定し、
更に、前記ねじりばねの一端部又は他端部を前記自動閉止作動手段に係止し、所定の温度を越えると前記自動閉止作動手段によるねじりばねの係止が解除されるように設定している、
請求項２に記載した水平回動式扉付きキャビネット。
【発明の詳細な説明】
【０００１】
【発明の属する技術分野】
本発明は、いわゆる観音開き式の一対の水平回動式扉を備えたキャビネットに関するものである。
【０００２】
【従来の技術】
水平回動式の扉を備えたキャビネットにおいては、間口寸法がある程度以上に大きくなると、扉が片開き式ではキャビネットの前方に広い開閉用スペースを要するばかりか、扉の回動半径が長いため開閉操作しにくい。このため、間口寸方がある程度大きくなると、２枚の扉を観音開き式に取付けていることは周知の通りである。そして、従来の観音開き式のキャビネットにおいては、左右の扉を個別に開閉するように構成している。
【０００３】
【発明が解決しようとする課題】
しかし、従来のように左右の扉を個別に開閉する構成では、２枚の扉を一々回動操作しなければならないため、キャビネットへの物品の出し入れが面倒であると言う問題があった。特に、左右の扉を閉じた状態で当該両扉の自由端が前後方向に重なり合うように形成している場合には、左右の扉の開閉に順序があるため、キャビネットへの物品の出し入れ作業が一層面倒であった。
【０００４】
他方、例えば実験室や工場等では、キャビネットにガスボンベや可燃液体のタンク、或いは熱で反応する薬品や化学剤等を収納することがあり、これら危険物を収納するキャビネットでは、火災時の安全性を確保するため、扉を閉じた状態に保持しておく必要がある。
【０００５】
この点について従来の一手段として、扉をばねやガススプリングによって閉じ勝手に付勢し、扉を開き切るといわゆる支点越えによってばねの作用方向を変えて扉を開き状態に保持するか、又は、磁石によって扉を開き状態に保持することが行われている。しかし、ばねやガススプリングで単に扉を閉じ勝手に付勢する手段では、作業者はばねやガススプリングの大きな抵抗に抗して扉を回動しなければならないため、作業者の負担が大きいという問題があった。
【０００６】
特に、観音開き式の２枚の扉を備えたキャビネットでは、２枚の扉をそれぞればね又はガススプリングに抗して回動させなければならないため、作業者の負担が倍加するのであり、更に、有害ガスの排除のために内部の空気を排除する排気手段を備えたキャビネットでは、その内部が負圧になっているため、扉が重くなって開き操作がより一層厄介であった。
【０００７】
また、単にばねやガススプリングで単に扉を閉じ勝手に付勢する手段では、前記したように、支点越え等の手段で扉を開き切った状態に保持しているため、換言すると、扉は閉じた状態と開いた状態とのいずれかに選択的に保持されているに過ぎないため、扉を開いた状態で火災が発生すると安全性の確保にはなんら寄与しないという致命的な欠陥があった。
【０００８】
本発明は上記各問題を解消することを目的とするものである。
【０００９】
【課題を解決するための手段】
本願発明のキャビネットは、前面を開口した本体と、該本体の開口部の左右両側縁に水平回動自在に取付けた観音開き式の左右一対の扉と、前記左右両扉の開閉動を連動させる連動機構とを備えており、前記連動機構は、一端部を中心に水平回動するように左右の扉に取付けたリンク杆と、前記左右リンク杆を連動して回動させるため本体に設けた前後長手のガイド部材とを備えており、左右リンク杆の他端を前記ガイド部材に摺動可能に取付けることにより、左右リンク杆の連動回動にて左右扉の開き動と閉まり動とを連動させている。
【００１０】
そして、前記左右両扉を、両扉を閉じた状態で一方の扉の自由端の前面と他方の扉の自由端の裏面とが重なり合うように形成する一方、前記ガイド部材には左右リンク杆の他端を案内するガイド穴が形成されており、このガイド穴を平面視で他方の扉の側に向けて凸状に湾曲させることにより、両扉の連動開閉タイミングを、両扉を開き回動する過程のうち少なくとも開き初めの段階では他方の扉が一方の扉より速く開き回動し、両扉を閉じ回動する過程のうち少なくとも閉じ終える段階で一方の扉が他方の扉よりも速く閉じ回動するように設定している。
【００１１】
更に請求項２に係る発明のキャビネットは、請求項１の構成に加えて、更に、前記扉を閉じ方向に付勢するための付勢手段と、所定の温度以下では前記付勢手段の付勢力が扉に作用しないように保持し所定の温度を越えると前記付勢手段の付勢力が扉に作用するように切り替わる自動閉止作動手段とを設けている。
【００１２】
【発明の奏する効果】
請求項１のように構成すると、いずれか一方の扉を回動操作すると他方の扉も一緒に回動するから、換言すると、観音開き式の２枚の扉を一つの動作で同時に開閉することができるから、キャビネットへの物品の出し入れを簡単に素早く行うことができる。
【００１３】
また、左右の扉の自由端を奥行き方向に重ね合わせるようにしたキャビネットにおいて、左右の扉の開閉順序を一々確認する必要はなく、いずれか一方の扉を開閉操作することによって左右の扉が正しい順序で開閉動するから、左右の扉の自由端を奥行き方向に重ね合わせることによって機密性や防盗性を確保できるキャビネットでありながら、扉の開閉の手間（換言するとキャビネットへの物品の出し入れの手間）を軽減することができる。
【００１４】
更に請求項２のように構成すると、火災によってキャビネットの周囲の温度が高くなると、自動閉止作動手段によって付勢手段が作動し、扉は、開いていても自動的に閉じる。他方、通常の状態では、付勢手段は扉には作用していないため、扉を開くに際して付勢手段が抵抗として作用することはなく、従って、扉を軽い力で開閉することができる。
【００１５】
従って請求項２のように構成すると、請求項１又は請求項２の効果に加えて、火災時に扉を自動的に閉じることができて安全性を向上できるものでありながら、非火災時には扉を軽い力で開閉できる効果を有する。請求項２の付勢手段として請求項３のようにリンク機構とねじりばねを使用すると、ねじりばねの一端部又は他端部を自動閉止作動手段で係止するだけで良いため、構造が簡単になる利点がある。
【００１６】
【発明の実施形態】
次に、本発明を実験室用のキャビネットに適用した実施形態を図面に基づいて説明する。
【００１７】
図１〜図11では第１実施形態を示しており、このうち図1(A)はキャビネット１の全体斜視図、図2(A)はキャビネット１の破断斜視図、図3(A)はキャビネット１の側断面図である。これら各図に示すように、キャビネット１は、前面を開口した本体２と、本体２の開口縁の左右両側縁に蝶番３を介して水平回動自在に取り付けた左右一対の扉4,5 とを備えている。本体２の上面には、内部に連通する排気ダクト６を接続している。
【００１８】
一方の扉（左扉）４の自由端には、他方の扉（右扉）５の自由端の裏面が重なる当り縁７を設け、他方の扉５には把手８を設けている。また、本体２の開口部の内面の全周に、閉扉状態で扉4,5 の縁部の裏面に重なる縁部材９を固着し、左右縦長の縁部材９に蝶番３を取り付けている。なお、実施形態における蝶番３は、扉4,5 を前後方向に移動させながら水平回動させるタイプのものである。
【００１９】
前記縁部材９には、熱によって発泡（膨張）するセラミック製のシール材10を張設している。また、図2(B)の断面図に示すように、一方の扉４の端面にもシール材10を張設している。縁部材９とシール材10とのうちいずれか一方又は両方を設け、更に一方の扉４に当り縁７を設けるとシール性を向上できる。
【００２０】
図2(A)や図3(A)に示すように、本体２の左右内側面には、多数の溝穴11を適宜間隔で多数形成した支柱12を２本ずつ固着し、この支柱12に金具（図示せず）を介して棚板13を装架できるようにしている。また、本体２の内部には、背面と若干の隙間を隔てて隔壁14を取付け、主として隔壁14の裏側から空気を吸引するようにしている。また、本体２の底面には、収納した液体がこぼれた場合にこれを受ける受け皿15を置いている。
【００２１】
図3(B)の断面図に示すように、本体２及び扉4,5 は、断熱性能を向上するために金属板製の外装板16に断熱材17を張った断面構造にしているが、単なる金属板製であっても良いし、耐火庫並みの断熱構造にしても良い。
【００２２】
次に、左右扉4,5 の連動機構について、図４〜図６に基づいて説明する。図４は扉4,5 を開けた状態での一部破断平面図、図５は図４のV-V 断面図、図６は扉4,5 の開閉途中での一部破断平面図である。
【００２３】
左右扉4,5 の上端部の内面に水平状の第１ブラケット19を固着し、これら第１ブラケット19にそれぞれ第１リンク杆20の一端部を第１ピン21にて水平回動自在に取付ける一方、本体２の天井面に、前後方向（奥行き方向）に延びるガイド部材22を固着し、このガイド部材22に形成した前後長手のガイド穴（ガイド溝）23に、前記左右第１リンク杆20の他端部に枢着した第２ピン24を抜け不能で摺動自在に嵌挿している。従って、左右の扉4,5 は第１リンク杆20とガイド部材22とを介して、連動して開閉動する。
【００２４】
そして、前記ガイド部材22におけるガイド穴23を、平面視で右側に向けて凸の状態に湾曲するように形成している。このようにガイド穴22を平面視で湾曲させたことにより、扉4,5 が開くに際しては、図６に示すように、当り縁７を備えた左扉４よりも先に右扉５が開き初め、扉4,5 を閉じるに際しては、当り縁７を備えた左扉４が右扉５よりも先に閉じ切る。これにより、一方の扉４に当り縁７を形成したものでありながら、左右扉4,5 はその自由端を干渉させることなく的確に連動して開閉することができる。
【００２５】
なお、右扉５に当り縁７を形成している場合には、ガイド穴23は平面視で左側に向けて凸の状態に湾曲させれば良い。
【００２６】
次に、火災に際して左右扉4,5 を自動的に閉じる手段について、図７〜図11を参照して説明する。図７は本体２の天板を省略した状態での部分平面図、図８は図７のVIII−VIII視図、図９は要部断面図、図10(A) は図９のX-X 視断面図、図10(B) 及び図11は作用を示す図である。
【００２７】
図７及び図８に示すように、右扉５と本体２の内側面との間には、請求項に記載した付勢手段の一環として、第２リンク杆26及び第３リンク杆27を第３ピン28にて回動自在に結節して成るリンク機構29で接続されている。リンク機構29の一端部（第２リンク杆26の一端部）は、右扉５の第１ブラケット19に前記第１ピン21によって回動自在に取付けられており、リンク機構29の他端部（第３リンク杆27の端部）は、上下長手の軸型ブラケット30に回動自在に取付けられている。軸型ブラケット30は、本体２の内側面の上部に固着した板材31に取付けている。
【００２８】
従って、左右扉4,5 を開閉すると、それに連動して第２及び第３リンク杆26,27 は互いの角度を変えながら回動する。
【００２９】
なお、リンク機構29を右扉５の第１ブラケット19に取付けると、連動機構と付勢手段とで部材を共用できるのでそれだけコストを低減できる利点がある。
【００３０】
前記軸型ブラケット30には、ねじりばね32を落下不能に被嵌しており、ねじりばね32の一端部32ａは本体２の内側面（縁部材９）に当接している。他方、ねじりばね32の他端部32ｂは上向きに折り曲げられており、その立ち上がり部32ｃを、前記リンク機構29における第３リンク杆27の側方に位置させている。
【００３１】
本体２の内側面には、非火災時には前記ねじりばね32の他端部32ｂが第３リンク杆27に当たらないように保持する自動閉止作動手段の一例として感熱式ストッパー具33を設けている。このストッパー具33は、図８〜図10に示すように、上下方向に延びる上向き開口の筒体34を備えており、この筒体34はベース35を介して本体２にに固着されている。図10(A) に示すにうに、ベース35には、ねじりばね32の一端部32ａに干渉しないように溝36が形成されている（このようにすると、ねじりばね32の一端部32ａの下向きずれを防止できる利点がある）。
【００３２】
感熱式ストッパー具33における筒体34の内部には、上端に円錐（或いは台錐）状のテーパ部37ａを形成したロッド37が摺動自在に嵌め込まれている。ロッド37には水平状に延びるガイドピン38が貫通しており、このガイドピン38を、筒体34に形成した上下長手の溝穴39に嵌め入れている。従って、ロッド37は筒体34から抜け不能であると共に、一定の範囲で上下摺動し得る。
【００３３】
更に前記筒体34の内部には、中空体40を介してロッド37を上向きに付勢するようにしたばね41を内蔵している。前記中空体40はガラスのようにある程度の外力が作用すると破断し得る脆い素材で形成されており、この中空体40の内部に、ある程度の熱を受けると大きく膨張（又は蒸発）してその内圧で中空体40を破壊するようにした液状等の熱作動体42を充填している。熱作動体42は、周囲が一定の温度（例えば60℃程度）になると膨張等して中空体40を破壊するように設定されている。
【００３４】
更に、筒体34の上部には、ねじりばね32の他端部32ｂのうち水平状に延びる部位が嵌まる切欠き溝43を、第３リンク杆27の方向に向けて開口するように形成している。この場合、切欠き溝43とばね41で押し上げられたロッド37のテーパ部37ａとが同じ高さに位置するように設定している。そして、図10(A) に示すように、ねじりばね32の他端部32ｂはロッド37のテーパ部37ａによって切欠き溝43から抜け不能に保持されている。言うまでもないが、ねじりばね32には、その他端部32ｂを切欠き溝43から抜け出そうとする弾性復元力が作用している。
【００３５】
以上の構成において、平常時には、ねじりばね32の他端部32ｂは図10(A) や図11(A) に示すようにストッパー具33におけるロッド37によって移動不能に保持されている。従って、平常時には、ねじりばね32の弾性復元力が扉4,5 の開き回動に対する抵抗として作用することはなく、このため軽い力で扉4,5 を開くことができる。
【００３６】
他方、火災が発生して室内の温度が高くなると、図10(B) に示すように、ストッパー具33の筒体34内に収納した中空体40が熱作動体42の圧力によって破壊し、これにより、ばね41によるロッド37の押圧力が消失するため、ロッド37は下降し得る状態となる。すると、ロッド37のテーパ部37ａのガイド作用により、ねじりばね32の弾性復元力によってロッド37が下降して、図11(B) に示すように、ねじりばね32の他端部32ｂは筒体34の切欠き溝43から抜け出て第３リンク杆27に当たり、これにより、開いていた扉4,5 はリンク機構29及び第１リンク杆20を介して自動的に閉じる。
【００３７】
このように、火災に際して扉4,5 が自動的に閉じるため、キャビネット１内に収納したガスボンベや燃料タンクが誘爆したり、有害ガスが発生したりすることを防止又は抑制できる。扉4,5 が閉じた状態で火災が発生した場合も、扉4,5 はねじりばね32によって閉じた状態に保持されるため、安全性を確保できる。
【００３８】
また、キャビネット１に収納したガスボンベから出火したような場合も扉4,5 は自動的に閉じて、キャビネット１の内部への空気の供給が絶たれるため、火災が室内に広がることを防止できる。更に、シール材10が発泡（膨張）して扉4,5 と本体との間の隙間、及び左右扉4,5 の自由端間の隙間が密閉されて、キャビネット１内への火炎の侵入（キャビネット１内で火災が発生した場合にはキャビネット１外への火炎の拡散）が防止される。
【００３９】
なお、火災に際して排気ダクト６から排気され続けると、キャビネット１内に空気及び火炎が侵入し勝手となるため危険である。この点については、例えば図４に示すように排気ダクト６を遮断するシャッター（バルブ手段）44を設けて、火災に際してシャッター44が作動するように構成すれば良い。シャッター44を作動させる手段としては、扉4,5 の自動閉止に連動し移動するように構成しても良いし、前記した自動扉閉止手段と同様に熱に反応して作動する作動手段を設けても良い。また、扉4,5 の自動閉止手段に機械的又は電気的に連動させて、排気ダクト６からの排気量を調節するためのダンパーを前閉にするように構成してもよい。
【００４０】
なお、扉4,5 を閉じ状態に保持するためのラッチ装置を設けても良いし、扉4,5 を閉じた状態にロックする錠を設けても良い。また、リンク機構29とストッパー具33とは左右一対設けてもよい。
【００４１】
図12及び図13(A) に示すのは感熱式のストッパー具33を第３リンク杆27に取り付けた第２実施形態である（図12は要部平面図、図13(A) は図12のXIIIA-XIIIA 視断面図である）。この実施形態では、ストッパー具33を、そのロッド37が下向きになるような姿勢で第３リンク杆27の下面（上面でも良い）に固着し、ねじりばね32の他端部32ｂを第３リンク杆27の端面に当接している。
【００４２】
また、ストッパー具33における筒体34の切欠き溝43を本体２の内側面の方に向けて、この切欠き溝43にねじりばね32の一端部32ａを係止している。筒体34の内部には熱作動体42が充填された中空体40とばね41とを設けている。また、筒体34には、中空体40への熱の伝達を促進するため溝状等の通気穴44を開けている（通気穴44は中空体40が抜け出ない大きさである）。
【００４３】
この実施形態では、火災によって中空体40が破壊されると、ねじりばね32の一端部32ａが本体２の内側面に当接し、これにより、ねじりばね32の弾性復元力が第３リンク杆27に作用して、扉4,5 は自動的に閉じる。
【００４４】
図13(B) に示すのは第２実施形態の変形例で、この実施形態では、例えばストッパー具33の本体２に、低温（例えば60〜70℃程度）で溶解又は軟化する合金等の熱弱化性素材から成る温度ヒューズ46を下向き突設し、この温度ヒューズ46でねじりばね32の一端部32ａを支持したものである。
【００４５】
図14に示すのは、左右の扉4,5 の自由端を前後方向に重ね合わせる別の形態であり、この図のように、左右の扉4,5 の自由端を前後逆向きに切欠いて、その切欠き部4a,4b を互いに重ね合わせるようにしても良い。
【００４６】
図15に示すのは熱感応式のストッパー具33の別例であり、この実施形態では、筒体34の内部にたロッド37を挿入し、ロッド37を挟んだ一方の側にばね41を、他方の側に熱弱化性の温度ヒューズ46を配置し、更に、ロッド37に、ねじりばね32の一端部又は他端部が嵌まるＬ地状の切欠き溝43を形成し、温度ヒューズ46が軟化変形すると、ばね41でロッド37が押されて、ロッド37の切欠き溝43と筒体34の窓穴48とが連通してねじりばね32の一端部32ａ又は他端部32ｂが抜けでるようにしている。
【００４７】
この実施形態の場合、切欠き溝43のうちねじりばね32の一端部又は他端部の当接面43ａは、ねじりばね32の一端部又は他端部の逃げ方向と直交しているので、平常時におけるねじりばね32の係止機能が高い利点がある。
【００４８】
上記の実施形態は付勢手段としてねじりばねを使用した場合であったが、付勢手段としては、板ばねやコイルばね等の他のばね手段を使用したり、重りを利用したりするなどしても良い。また、リンク機構は必ずしも必要ない。
【００４９】
また、火災に際して扉を自動的に閉じる手段としては、バイメタル等の他の素材を使用しても良い。
【００５０】
なお、火災に際して扉を自動的に閉じる機構は、図16に示すように扉48を一つだけ設けた片開き式のキャビネット１にも適用できる。この図で示す符号48は吸熱パネルで、吸熱パネルと前記した中空体40や温度ヒューズ46を良熱伝動体で接続することにより、感熱性能を向上させている。吸熱パネル48は扉47の外面や本体２の外面等に設けても良いし、また、第１実施形態等の実施形態にも適用しても良い。
【図面の簡単な説明】
【図１】 (A)はキャビネットの全体斜視図、(B) は(A) のB-B 視断面図である。
【図２】 (A)はキャビネットの破断斜視図、(B) は扉の部分断面図である。
【図３】 (A)はキャビネットの側断面図、(B) は本体の部分断面図である。
【図４】扉を開けた状態での一部破断平面図である。
【図５】図４のV-V 断面図である。
【図６】扉の開閉途中での一部破断平面図である。
【図７】本体の天板を省略した状態での部分平面図である。
【図８】図７のVIII−VIII視図である。
【図９】自動閉止作動手段としてのストッパー具の要部断面図である。
【図10】(A) は図９のX-X 視断面図、(B) はストッパー具の作用を示す図である。
【図11】作用を示す図である。
【図12】第２実施形態を示す図である。
【図13】(A) は図１２のXIIIA-XIIIA 視断面図、(B) は変形例を示す図である。
【図14】扉の他の形態を示す図である。
【図15】熱感応式のストッパー具の別例を示す図である。
【図16】自動閉止手段を片開き式のキャビネットに適用した場合の図である。
【符号の説明】
１  キャビネット
２  本体
4,5   扉
７  当り縁
20  第１リンク杆
22  ガイド部材
23  ガイド穴（ガイド溝）
26  第２リンク杆
27  第３リンク杆
29  リンク機構
32  付勢手段としてのねじりばね
33  自動閉止作動手段としての感熱式ストッパー具
34  筒体（シリンダー）
40  中空体
41  ばね
42  熱作動体
【図１】
0003666538.tif 000002
【図２】
0003666538.tif 000003
【図３】
0003666538.tif 000004
【図４】
0003666538.tif 000005
【図５】
0003666538.tif 000006
【図６】
0003666538.tif 000007
【図７】
0003666538.tif 000008
【図８】
0003666538.tif 000009
【図９】
0003666538.tif 000010
【図１０】
0003666538.tif 000011
【図１１】
0003666538.tif 000012
【図１２】
0003666538.tif 000013
【図１３】
0003666538.tif 000014
【図１４】
0003666538.tif 000015
【図１５】
0003666538.tif 000016
【図１６】
0003666538.tif 000017